(57)【要約】【課題】扇ぎ面及び柄の全てを厚紙で製作したうちわであって、柄部分に景品の当たり外れ等の情報を外部から見えない形で印刷しておける紙製うちわを提供する。【解決手段】広面形状に形成した扇ぎ面の下部中央を手で握り得る横幅で下方に突出させた中央柄を形成し、その左側に中央柄と同じ横幅の第１、第２の補強柄を第１、第２の折り目を介して連設する。第２の補強柄の下辺から所定距離上方に下辺に平行なミシン目を形成し、第２の折り目は該ミシン目との交差点から下方部分を切り目とする。第１の折り目を谷折り、第２の折り目を山折りにして第１、第２の補強柄を中央柄に折り重ねて第２の補強柄のミシン目より下方部分を除く重なり部を接着固定する。【選択図】図１
0003165575.tif 000002
【実用新案登録請求の範囲】
【請求項１】
扇ぎ面と柄を共に厚紙で製作した紙製うちわであって、前記扇ぎ面は広面形状に形成されており、
前記柄は前記扇ぎ面の下部中央を手で握り得る横幅で下方に突出させて形成した中央柄と、該中央柄の左側に第１の折り目を介して中央柄と同じ横幅で連設した第１の補強柄と、該第１の補強柄における前記第１の折り目に対向する側線を第２の折り目として中央柄と同じ横幅で連設した第２の補強柄とからなり、
該第１の補強柄は上部側縁が上方へ凸状に突出した形状に形成され、前記第２の補強柄の上縁には円弧凸状の略扇形であって円弧両端と第２の補強柄の側縁上端との間が前記中央柄の側縁上端から斜め上外方に拡がって延びる前記扇ぎ面の側縁と同形状に形成された扇形補強片が延設されており、
前記第２の補強柄の下辺から所定距離上方には該下辺に平行なミシン目が形成され、前記第２の折り目は該ミシン目との交差点から下方部分が切り目とされており、
前記第１の折り目を谷折り、前記第２の折り目を山折りにして第１、第２の補強柄を前記中央柄に折り重ねて前記第２の補強柄の前記ミシン目より下方部分を除く重なり部を接着固定してあることを特徴とする紙製うちわ。
【請求項２】
請求項１に記載の紙製うちわにおいて、前記第１の補強柄の下辺を第３の折り目として前記第２の補強柄と同形状の第３の補強柄を更に連設し、前記第３の折り目を山折りして第３の補強柄を前記中央柄の背面側に折り重ねて接着固定したことを特徴とする紙製うちわ。
【請求項３】
請求項１又は２に記載の紙製うちわにおいて、前記第１の補強柄の横幅中央部には長手方向に伸びる切欠き窓が形成してあることを特徴とする紙製うちわ。
【請求項４】
請求項１乃至３の何れかに記載の紙製うちわにおいて、前記第２の補強柄における前記ミシン目より下方部分の裏側、又はその部分と重なる前記第１の補強柄の表面に所定の情報が印刷してあることを特徴とする紙製うちわ。
【考案の詳細な説明】
【技術分野】
【０００１】
本考案は、扇ぎ面及び柄の全てを厚紙で製作したうちわであって、柄部分に景品の当たり外れや特別割引をする商店名、割引率等の情報を外部から見えない形で印すことができるようにした紙製うちわに関する。
【背景技術】
【０００２】
暑い時期に街頭やスポーツ、祭り等の催し物会場において広告宣伝のためのうちわを無料配布することがしばしば行なわれる。しかし、単に広告が印刷されただけのうちわは貰う人には興が薄いためうちわとしての必要がなくなれば直ぐに捨てられてしまって宣伝効果は低い。
【０００３】
しかし、配布されたうちわに景品の当たり外れ情報や、そのうちわを持参した人に景品を渡したり割引販売をしたりする商店名等が外部から見えない形で印刷されていたりすると、貰う人は興を感じて積極的に欲しがる。当たり情報が印刷されたうちわを貰った人は景品を受け取るまで捨てないし、景品を渡したり特別割引販売したりする商店名等が印刷されたうちわを貰った人はその店を訪れるので店の宣伝に大いに役立つ。
【０００４】
うちわとしての機能に加えて何らかの情報を外部から見えない形で印した紙製うちわとしては、例えば、特許文献１に開示されている「おみくじ付きうちわ」がある。このうちわは送風部と送風部より幅狭の基部とを備えた本体部構成片と、基部の下端から延設して両側に側片部を有し、基部と協同して把持部を形成する把持部構成片とで構成した型紙を、基部を上方に折り曲げ基部に重ね合わせて把持部兼収納部を形成して該収納部におみくじ類を収納し、把持部構成部片の先端両側に係止用の角部を設けて各角部を送風部に設けた一対の切り込みに挿入係止して把持部を本体部に係止することを特徴とする。
【０００５】
しかし、このうちわの場合は把持部におみくじ収納部を設けているため構成が複雑である上、組み立ての際にその収納部に別体のおみくじを収納して角部を切り込みに挿入係止する必要があるため組み立てに手間がかかる。加えて柄部分が強度に欠ける問題もある。
【先行技術文献】
【特許文献】
【０００６】
【特許文献１】特開２００１−２９９４２４号公報
【考案の開示】
【考案が解決しようとする課題】
【０００７】
本考案は、従来技術のこうした問題点を解決するためになされたものでその課題は、扇ぎ面及び柄の全てを厚紙で製作したうちわであって、柄部分に景品の当たり外れや割引販売商店名、割引率等の情報を外部から見えない形で印すことのできる紙製うちわを提供することにある。
【課題を解決するための手段】
【０００８】
前記課題を解決するための請求項１に記載の考案は、扇ぎ面と柄を共に厚紙で製作した紙製うちわであって、扇ぎ面は広面形状に形成されており、柄は扇ぎ面の下部中央を手で握り得る横幅で下方に突出させて形成した中央柄と、該中央柄の左側に第１の折り目を介して中央柄と同じ横幅で連設した第１の補強柄と、該第１の補強柄における第１の折り目に対向する側線を第２の折り目として中央柄と同じ横幅で連設した第２の補強柄とからなり、第１の補強柄は上部側縁が上方へ凸状に突出した形状に形成され、第２の補強柄の上縁には円弧凸状の略扇形であって円弧両端と第２の補強柄の側縁上端との間が中央柄の側縁上端から斜め上外方に拡がって延びる扇ぎ面の側縁と同形状に形成された扇形補強片が延設されており、第２の補強柄の下辺から所定距離上方には該下辺に平行なミシン目が形成され、第２の折り目は該ミシン目との交差点から下方部分が切り目とされており、第１の折り目を谷折り、第２の折り目を山折りにして第１、第２の補強柄を中央柄に折り重ねて第２の補強柄のミシン目より下方部分を除く重なり部を接着固定してあることを特徴とする紙製うちわである。
【０００９】
このような構成によれば、柄は３枚の厚紙を折り重ねて接着されるため十分な強度を有する。扇ぎ面と柄の境界部も第１の補強柄上側縁の凸状突出部と第２の補強柄上縁の扇形補強片とにより補強されるため十分な強度を有する。このためうちわを強く振った際に空気抵抗により扇ぎ面に生ずる抗力を柄で十分に支えることができる。第２の補強柄の下端部はミシン目で上に折り曲げることができ、下になっている第１の補強柄の表面を見ることができる。その部分に景品の当たり外れ等の情報を印刷しておけば、うちわを渡す段階ではその部分の情報は外部の目に触れず、ミシン目で折り曲げられた段階で目に触れるようになる。
【００１０】
また、請求項２に記載の考案は、請求項１に記載の紙製うちわにおいて、第１の補強柄の下辺を第３の折り目として第２の補強柄と同形状の第３の補強柄を更に連設し、第３の折り目を山折りして第３の補強柄を中央柄の背面側に折り重ねて接着固定したことを特徴とする紙製うちわである。
【００１１】
このような構成によれば、柄部分は４枚の厚紙を折り重ねて接着固定した構造になるため柄部分、及び柄と扇ぎ面との境界部の強度が更に高まる効果を奏する。
【００１２】
また、請求項３に記載の考案は、請求項１又は２に記載の紙製うちわにおいて、第１の補強柄の横幅中央部には長手方向に伸びる切欠き窓が形成してあることを特徴とする紙製うちわである。
【００１３】
このような構成によれば、第１、第２の補強柄を中央柄に折り重ねて接触面間を接着させる際には、中央柄の表面部分にホットメルト接着剤を塗布しておけば、溶けた接着剤が切欠き窓を通って第１、第２の補強柄間の隙間にも浸透して第１、第２の補強柄を相互に接着固定させる。従って、第１又は第２の補強柄の表面に接着剤を塗布する作業を省略できるため組み立て作業が容易になる利点を有する。
【００１４】
また、請求項４に記載の考案は、請求項１乃至３の何れかに記載の紙製うちわにおいて、第２の補強柄におけるミシン目より下方部分の裏側、又はその部分と重なる第１の補強柄の表面に所定の情報が印刷してあることを特徴とする紙製うちわである。
【００１５】
情報として景品の当たり外れや割引販売をする商店名、割引率等を印刷しておけば、うちわを受け取る人の興味が増す。また、割引する商店名の印刷されたうちわを貰った人はその店を訪れることが期待できるので店の宣伝に効果を奏する。
【図面の簡単な説明】
【００１６】
【図１】第１の実施形態に係る紙製うちわ１を構成する厚紙の展開図である。
【図２】完成した紙製うちわ１の正面図である。
【図３】紙製うちわ１の組み立てのためホットメルト接着剤を塗布した状態である。
【図４】第２の補強柄のミシン目より下方部分を開いた状態の斜視図である。
【図５】第２の実施形態に係る紙製うちわ１ａを構成する厚紙の展開図である。
【考案を実施するための形態】
【００１７】
以下、本考案に係る紙製うちわを実施形態に分けて説明する。
（第１の実施形態）
図１は第１の実施形態に係る紙製うちわ１を構成する厚紙の展開図、図２は完成品の正面図である。紙製うちわ１は、打ち抜きで形成した図１の展開図に示す厚紙を図中の細かい破線で示した折り目で折り畳んで接着固定して製作される。
【００１８】
風を起こす扇ぎ面２は厚紙で略円形の広面形状に形成され、扇ぎ面２の下部中央から下方に向けて中央柄４が突出して形成されている。中央柄４は手で握り得る横幅で、見栄えと握り易さを考慮して先に向けて少し幅狭になるよう形成してある。
【００１９】
中央柄４の左側辺には第１の折り目５を挟んで中央柄４と同じ横幅の第１の補強柄６が連設してある。第１の補強柄６の上部側縁は上方へ凸状に突出した形状に形成してある。そして第１の補強柄６の横幅中央部には長手方向に伸びる切欠き窓７が形成してある。
【００２０】
更に、第１の補強柄６の左側辺には第２の折り目８を挟んで第２の補強柄９が連設してある。第２の補強柄９の横幅は中央柄４と同じにしてあり、その上縁には円弧凸状の略扇形補強片１０が延設してある。略扇形の円弧両端と第２の補強柄９の側縁上端との間は、中央柄４の側縁上端から斜め上外方に拡がって延びる扇ぎ面２の側縁と同形状に形成してある。第２の補強柄の下辺から少し上方位置には下辺に平行なミシン目１１が形成してあり、第２の折り目８はそのミシン目１１との交差点から下方部分が切り目にしてある。
【００２１】
このような形状の厚紙は打ち抜きにより形成される。このような構成の厚紙を用いてうちわ１を組み立てるには、最初に第１の折り目５を谷折りして第１の補強柄６を中央柄４の表面に折り重ねる。次に、第２の補強柄９を山折りして折り重ねた第１の補強柄６の上に折り重ねる。折り重ねた中央柄４、第１の補強柄６、第２の補強柄９の接触面間の接着は、図３に示すように中央柄の表面部に溶かしたホットメルト接着剤１２を塗布しておき、３枚の柄を重ねて圧力をかけて接着させる。第２の補強柄９のミシン目１１より下方部分は第１の補強柄６に接着されないよう接着剤１２の塗布位置を調整する。このようにすると溶けて粘性の生じた接着剤１２が切欠き窓７を通って第１、第２の補強柄６、９間の隙間に浸透して第１、第２の補強柄も相互に接着固定される。そのため第１又は第２の補強柄の表面に接着剤を塗布しておく作業を省略できる。
【００２２】
図２はこのようにして組み立てた完成品の正面図で、第１の補強柄６は中間に挟まれてミシン目１１の形成された第２の補強柄９が表面に表れている。図４は完成したうちわ１の第２の補強柄９の下端部をミシン目１１で上方に折り曲げた状態の斜視図である。第１の補強柄６、第２の補強柄９間の第２の折り目８は、ミシン目１１との交差点から下方部分が切り目にしてあるのでこのように折り曲げることができる。従って、この折り曲げ可能部の第１の補強柄６側、あるいは第２の補強柄９側に情報を印刷しておけば、折り曲げにより印刷された情報を確認することができる。
【００２３】
本実施形態の紙製うちわ１の柄は３枚の厚紙を折り重ねて接着固定した構造になっているため十分な強度が確保される。また、扇ぎ面２と柄との境界部も第１の補強柄６上縁凸状部と第２の補強柄９上縁の略扇形補強片１０とにより補強されるため十分な強度が確保される。そして、第２の補強柄９の下端部はミシン目１１を境に上方に折り曲げできるため、折り曲げ部の裏側、隠れていた第２の補強柄９の下端部表面を視認することができる。従って、それらの部分に景品の当たり外れや割引販売をする商店名等を印刷しておけば、うちわを受け取る人の興味が増し、宣伝効果が高まる効果を奏する。
【００２４】
なお、本実施形態では第１の補強柄６と第２の補強柄９を中央柄４の左側に延設した例を説明したが、それらは右側に延設してもよいことはいうまでもない。
【００２５】
（第２の実施形態）
図５は第２の実施形態に係る紙製うちわ１ａを構成する厚紙の展開図である。本実施形態の紙製うちわ１ａの厚紙が第１の実施形態の紙製うちわ１の厚紙と相違する点は、第１の補強柄６の下辺に第３の折り目１３を挟んで第２の補強柄９と同形状の第３の補強柄１４を連設した点にある。組み立ての際には第３の折り目１３を山折りし、第３の補強柄１４を中央柄４の裏面に重ねて接着する。
【００２６】
本実施形態の紙製うちわ１ａの柄は４枚の厚紙を折り重ねて接着固定した構造になるため強度が一層高まる。また、第２の補強柄９の下端部をミシン目１１を境に上方に折り曲げできる構造は第１の実施形態の紙製うちわ１と同様である。それら部分に景品の当たり外れや割引販売をする商店名等を印刷しておくことでうちわを受け取る人の興味が増し、宣伝効果が高まる効果を奏する。
【符号の説明】
【００２７】
図面中、１、１ａは紙製うちわ、２は扇ぎ面、４は中央柄、５は第１の折り目、６は第１の補強柄、７は切欠き窓、８は第２の折り目、９は第２の補強柄、１０は扇形補強片、１１はミシン目、１３は第３の折り目、１４は第３の補強柄を示す。
【図１】
0003165575.tif 000003
【図２】
0003165575.tif 000004
【図３】
0003165575.tif 000005
【図４】
0003165575.tif 000006
【図５】
0003165575.tif 000007